(57)【特許請求の範囲】
【請求項１】
機体の前方に設置し、機体進行方向の前端側に補給口がある肥料、薬剤等のタンクの上方に、機体に立設した支柱に対し水平方向の２段のガイドレールを設けるとともに、ガイドレールに予備苗載台をスライドさせるためのガイド溝が穿設され、ガイドレールの外側に固定されたスライド板の内側のスライド軸が、ガイド溝および固定板のスライド溝を通して内側に突出し、スライド軸同士が連結部材に連結されることで、このガイドレールに沿って移動する予備苗載台を連結部材にて互いに連結し、この予備苗載台の何れかに、ガイドレールに対して予備苗載台をその前方及び後方の移動位置にロックする１つのロック部材を設けるとともに、このロック部材に対し、これを運転席側及びこれと反対の機体の前側より操作する操作部材に連結したＬ形クランクで作動するようにし、機体の前後方向に移動自在とした予備苗載台を設けるとともに、上記の予備苗載台の前後方向の移動は、予備苗載台に対して、運転席側及びその反対の前側よりの相関連する操作部材にて行われるようにした乗用田植機における予備苗載台。
【請求項２】
上記の予備苗載台の移動は、少なくとも下から２つ目までである請求項１に記載の乗用田植機における予備苗載台。
【発明の詳細な説明】
【０００１】
【発明の属する技術分野】
本発明は、乗用田植機における予備苗載台に関するものである。
【０００２】
【従来の技術】
従来の乗用田植機において、前方の予備苗載台が肥料、薬剤等のタンクの上方にある場合、予備苗載台に対する前後方向の移動操作は、運転席側からのみ操作可能となっていた。
【０００３】
【発明が解決しようとする課題】
このような従来の乗用田植機にあって、肥料、薬剤等のタンクにおける補給口が、運転席と反対の前方側にある場合、機体を前進したまま畔際につけると肥料、薬剤等の補給はし易いが、この補給口の上方には予備苗載台があるため、その補給に邪魔にならないように上方の予備苗載台を後方にスライドする必要からその度、圃場内に入りその操作をせざるを得なかった。
本発明は、このような点を解決すべく、研究し試験を重ねた結果創出されたもので、その目的とするところは、上記のような場合において、圃場内に入ることなく、畔際よりタンクに肥料、薬剤等を容易に補給することにある。
【０００４】
【課題を解決するための手段】
上記の目的を達成するために、本発明にあっては、肥料、薬剤等のタンクの上方にある予備苗載台を後方にスライドするに当たって、その操作を、運転席側からも、機体の前方側からもすることができるようにすることによって問題点の解決を図っている。
【０００５】
すなわち、本発明における乗用田植機の予備苗載台は、機体の前方に設置し、機体進行方向の前端側に補給口がある肥料、薬剤等のタンクの上方に、機体に立設した支柱に対し水平方向の２段のガイドレールを設けるとともに、ガイドレールに予備苗載台をスライドさせるためのガイド溝が穿設され、ガイドレールの外側に固定されたスライド板の内側のスライド軸が、ガイド溝および固定板のスライド溝を通して内側に突出し、スライド軸同士が連結部材に連結されることで、このガイドレールに沿って移動する予備苗載台を連結部材にて互いに連結し、この予備苗載台の何れかに、ガイドレールに対して予備苗載台をその前方及び後方の移動位置にロックする１つのロック部材を設けるとともに、このロック部材に対し、これを運転席側及びこれと反対の機体の前側より操作する操作部材に連結したＬ形クランクで作動するようにし、機体の前後方向に移動自在とした予備苗載台を設けるとともに、上記の予備苗載台の前後方向の移動は、予備苗載台に対して、運転席側及びその反対の前側よりの相関連する操作部材にて行われるようにした構成のものである。
【０００６】
さらに、本発明における乗用田植機の予備苗載台の移動は、少なくとも下から２つ目までであるように構成したものである。
【０００７】
【発明の実施の形態】
本発明は、乗用田植機における予備苗載台を機体の前後方向にスライドするものに関するものである。
乗用田植機の機体前方にはエンジン等の駆動部が搭載されており、そのエンジン部の両側には、機体に対して前後に支柱が立設されている。
この支柱の外側、すなわち中央のエンジン部を中心に、その両側には支柱を隔てて肥料、薬剤等のタンクが設置されている。
これらのタンクの上方には支柱に対して予備苗載台が片持梁式に上下方向に複数設けられている。
【０００８】
そして、このような構成の乗用田植機において、本発明にあっては、タンクの上方に設置された予備苗載台を機体の前後方向にスライドするに当たって、運転席側からと同様に機体の前方側からも操作できるようにしたもので、これらの前後方向側からの作動機構を互いに関連を持たせたものであり、また前後方向にスライドする予備苗載台は、下より２つ目までであって、これらの上下２つの予備苗載台は、互いにその間を連結部材で連結されており、前後方向のスライド運動の操作機構は下位のものに設けられている。
【０００９】
【実施例】
本発明の実施例を図面に基づいて説明する。
本発明の乗用田植機は、機台（１）の前方中央のエンジン等の駆動部（以下エンジン部という）（Ａ）に対して、機体の進行方向の左右両側に肥料、薬剤等のタンク（以下肥料タンクという）（Ｂ）、（Ｂ）が配設されており、この上方に予備苗載台（Ｃ）、（Ｃ）が上下方向に図面では複数配設されている。
肥料タンク（Ｂ）及び予備苗載台（Ｃ）は機体の進行方向に対して左右同じであるから、左側について説明する。
【００１０】
このエンジン部（Ａ）の左側にある肥料タンク（Ｂ）は、機台（１）より立設された前後方向の支柱（２）、（２）より突設された支枠（３）によって支えられている。
この肥料タンク（Ｂ）は、機体の進行方向の前端側に肥料、薬剤等の補給口（４）があり、キャップ（５）が螺着されている。
支柱（２）、（２）には、エンジン部（Ａ）と反対の外側に上下に２枚のガイドレール（ａ1 ）、（ａ2 ）が間隔をおいて固定されている。
このガイドレール（ａ1 ）、（ａ2 ）は、その断面形状が山高帽子形を呈し、その裾部において、支柱（２）、（２）にボルト（６）で固定されている固定板（７）に対し、ボルト（８）、（８）で固定されている。
ガイドレール（ａ1 ）、（ａ2 ）の頂面の中央には、予備苗載台（Ｃ1 ）、（Ｃ2 ）をスライドさせるためのガイド溝（ｂ1 ）、（ｂ2 ）が穿設されている。
【００１１】
ガイドレール（ａ1 ）、（ａ2 ）の外側には、スライド板（ｃ1 ）、（ｃ2 ）が固定されている。スライド板（ｃ1 ）、（ｃ2 ）の内側には、スライド軸（ｄ1 ）、（ｄ1 ）；（ｄ2 ）、（ｄ2 ）が固定されており、このスライド軸（ｄ1 ）、（ｄ1 ）；（ｄ2 ）、（ｄ2 ）は、ガイドレール（ａ1 ）、（ａ2 ）のガイド溝（ｂ1 ）、（ｂ2 ）を通して、さらに固定板（７）、（７）のスライド溝を通して内側に突出し、これらのスライド軸（ｄ1 ）、（ｄ1 ）と（ｄ2 ）、（ｄ2 ）とは連結部材（ｅ）に連結されている。このことはスライド板（ｃ1 ）がスライドすれば、連結部材（ｅ）を介してスライド板（ｃ2 ）もスライドすることになる。
なお、スライド軸（ｄ1 ）には下方に、スライド軸（ｄ2 ）には上方にそれぞれベアリング（９）、（９）が設けられている。
予備苗載台（Ｃ1 ）、（Ｃ2 ）は、その下面側において、スライド板（ｃ1 ）、（ｃ2 ）の両側端より外側斜上方に向って突設した突出棒（１０）、（１０）に対して固定されている。
【００１２】
図５、図６は、スライド板（ｃ1 ）をスライドさせるための装置部分を下方より見た図面で、これらの図面に示すように、スライド板（ｃ1 ）には、固定されたスライド軸（ｄ1 ）、（ｄ1 ）の間において外方に向かう先端が屈曲している支持杆（ｆ）と運転席側寄りに外方に向かってガイド部材（ｇ）とが突設されている。
【００１３】
屈曲支持杆（ｆ）には、図３に示すように、その下方に屈曲した屈曲部（１１）に対しＬ形クランク（ｈ）が回動自在に軸支（１２）されている。
このＬ形クランク（ｈ）の一端には、ロック爪（ｉ）が枢支（１３）され、また他端には、これを運転席側（後方）と機体の前方側との両方より操作できる操作部材である作動レバー（ｊ）及び（ｋ）が連係されている。
【００１４】
この連係は、７字形に屈曲した後方の作動レバー（ｊ）がスライド板（ｃ1 ）に突設したガイド部材（ｇ）のガイド孔（１４）及び前方の作動レバー（ｋ）の上方に屈曲した屈曲端部（１５）の透孔（１６）をそれぞれ通し、さらにその先端の下方に屈曲した屈曲部（１７）をもって再び前方作動レバー（ｋ）を貫通し、Ｌ形クランク（ｈ）の一端と連係（１８）している。
前方作動レバー（ｋ）には、前端にこれとクロスする作動パイプ（ｋ’）が連結されている。
この後方作動レバー（ｊ）と前方作動レバー（ｋ）との連係により、Ｌ形クランク（ｈ）は運転席側より後方作動レバー（ｊ）を介し、また機体の前方側より前方作動レバー（ｋ）を介し、それぞれＬ形クランク（ｈ）を操作できるようになっている。
【００１５】
また、Ｌ形クランク（ｈ）の一端に枢支されたロック爪（ｉ）は、スライド板（ｃ1 ）の透孔（１９）を経て、ガイドレール（ａ1 ）の透孔（２０）、固定板（７）の透孔（２１）に係止するようになっている。
Ｌ形クランク（ｈ）の屈曲支持杆（ｆ）の屈曲部（１１）の軸支部（１２）には、巻ばね（ｍ）が巻回されていて、ロック爪（ｉ）が透孔（２０）、（２１）に係入するように付勢されている。
予備苗載台（Ｃ）は図１、図２に示すものにあっては、３段であるが、これは４段であってもよい。
３段目のものは、スライドする必要がないから、予備苗載台（Ｃ）は、支柱（２）に固定されている。
【００１６】
以上説明したような前方の予備苗載台（Ｃ）の下方に、肥料タンク（Ｂ）がある場合にあって、機体を前進させてそのまま機体を畔際につけ、タンク（Ｂ）の前端側にある補給口（４）より肥料、薬剤等を補給する場合、その補給に対し、上方の予備苗載台（Ｃ）が邪魔になるところから、予備苗載台（Ｃ）を後方に移動させる必要がある。
この場合、予備苗載台（Ｃ）を移動させるのは最下位のもの（Ｃ1 ）と２番目のもの（Ｃ2 ）である。
図２には、予備苗載台（Ｃ1 ）、（Ｃ2 ）を後方の運転席側に移動させたところが示されており、肥料タンク（Ｂ）の肥料、薬剤等の補給口（４）の上方には、予備苗載台（Ｃ1 ）、（Ｃ2 ）はなく、肥料、薬剤等の補給操作がし易いようになっている。
【００１７】
以上の操作は、圃場内に入らないで畔際よりできるもので、図５、図６において、（イ）点はロック爪（ｉ）による前方のロック点であり、（ロ）点は後方のロック点である。図５は前方の（イ）点でロックされているところであり、図６は後方の（ロ）点でロックされているところである。
【００１８】
肥料タンク（Ｂ）に肥料、薬剤等を補給する作業者は、畔際上より前方の作動レバー（ｋ）の作動パイプ（ｋ’）を把握して、これを後方に押し進める。前方の作動レバー（ｋ）のこの押圧力は、後方の作動レバー（ｊ）の下方屈曲部（１７）が前方の作動レバー（ｋ）を貫通してＬ形クランク（ｈ）の一端に連結（１８）している関係上、Ｌ形クランク（ｈ）は、巻回された巻ばね（ｍ）に抗して時計方向に回動することにより、ロック爪（ｉ）は図５に示すようなロック状態にあるガイドレール（ａ1 ）の透孔（２０）、固定板（７）の透孔（２１）より脱するから、スライド板（ｃ1 ）に嵌合している突出杆（１０）、（１０）により予備苗載台（Ｃ1 ）、（Ｃ2 ）は後方に移動する。
【００１９】
この移動は、予備苗載台（Ｃ1 ）、（Ｃ2 ）が肥料タンク（Ｂ）の補給口（４）上に充分な空間をあけるとき、図６に示すようにロック爪（ｉ）が後方の（ロ）点においてロックされることによって停止する。
このロック爪（ｉ）は、（ロ）点に至ると、Ｌ形クランク（ｈ）の軸支部（１２）に巻回されている巻ばね（ｍ）の畜力によって自動的にロックされる。
ロック爪（ｉ）の後方のロック点の（ロ）点より前方のロック点の（イ）点に予備苗載台（Ｃ1 ）、（Ｃ2 ）を移動させるには、前方の作動レバー（ｋ）を押してＬ形クランク（ｈ）を時計方向に回動させて、ロック爪（ｉ）のロックを外すと同時に予備苗載台（ｃ1 ）を把持して手前側に引けば、容易に前方のロック点の（イ）点で移動させてロックさせることができる。
【００２０】
予備苗載台（Ｃ1 ）と（Ｃ2 ）との一体化した移動は、それぞれの苗載台（Ｃ1 ）、（Ｃ2 ）側のガイドレール（ａ1 ）、（ａ2 ）のガイド溝（ｂ1 ）、（ｂ2 ）を通してスライドするスライド軸（ｄ1 ）、（ｄ2 ）に対して連結部材（ｅ）によって連結されていることによって行われる。
【００２１】
本発明は、以上のような構成と操作によって、機体を前進させて畔際につけ、前方より肥料タンクの上方の２つの予備苗載台を後方に押して移動させて、肥料タンクの前端側の補給口より、肥料、薬剤等を補給する。
また、苗植付け時には、運転席側の後方の作動レバーを操作して予備苗載台を運転席に近づけて容易に予備苗を取り出す。
【００２２】
【発明の効果】
本発明は、機体の前方に肥料、薬剤等のタンクを設置するとともに、その上方に予備苗載台を配設した乗用田植機において、タンクの上方の予備苗載台を、機体の前後の両方から前後方向に移動できるようにしたものであるから、機体を前進させて畔際につけた場合において、圃場内に入ることなく予備苗載台を畔際より後方に移動させることができ、これによって前端側に設けられた補給口よりタンクに肥料、薬剤等を容易に補給することができ、また苗植付け時においては、運転席側より予備苗載台を引き寄せることができるから、予備苗を容易に取り出すことができる。
【００２３】
本発明にあっては、予備苗載台の前後方向の移動において、機体の前後方向から操作できる操作部材を互いに関連させるとともに、これを１つのロック部材に関連させ、これを前方、後方のそれぞれの移動位置でガイドレールにロックするように構成したから、機体を前進させて、これを畔際につけた場合、前方より操作部材を操作することにより後方位置において予備苗載台をガイドレールにロックさせ、肥料、薬剤等をタンクに容易に補給することができ、また苗植付け時においては、運転席側より操作部材を引いて予備苗載台を後方位置においてロックさせ、予備苗を容易に取り出すことができる。
【００２４】
予備苗載台は、少なくとも最下位のもの、２番目のものが互いに連結部材で連係されているから、前方よりの単一の操作部材の操作により、上下の予備苗載台が一体化して移動することになり、肥料、薬剤等のタンクの上方に空間を形成でき、タンクへの肥料、薬剤等の補給作業がし易くなる。
【図面の簡単な説明】
【図１】予備苗載台、肥料タンクを具備する乗用田植機の正面図
【図２】上記の田植機の一部側面図
【図３】最下位と２番目の予備苗載台の関連を示す正面図
【図４】同上の側面図
【図５】前方及び後方よりの作動レバーによって作動されるロック装置を下方よりみた図面
【図６】同上のロック装置のロック位置の異なる図面
【符号の説明】
Ａ          エンジン等の駆動部
Ｂ          肥料、薬剤等のタンク
Ｃ1 、Ｃ2   予備苗載台
ａ1 、ａ2   ガイドレール
ｂ1 、ｂ2   ガイド溝
ｃ1 、ｃ2   スライド板
ｄ1 、ｄ2   スライド軸
ｅ          連結部材
ｆ          屈曲支持杆
ｇ          ガイド部材
ｈ          Ｌ形クランク
ｉ          ロック爪
ｊ          後方作動レバー
ｋ          前方作動レバー
ｋ’        作動パイプ
ｍ          巻きばね
１          機台
２          支柱
３          支枠
４          補給口
５          キャップ
７          固定板
９          ベアリング
１０        突出棒
１１        屈曲部
１２、１３  枢支部
１４        ガイド孔
１５        上方屈曲部
１６、１９、２０、２１  透孔
１７        下方屈曲部
１８        連係部
【図１】
0003992397.tif 000002
【図２】
0003992397.tif 000003
【図３】
0003992397.tif 000004
【図４】
0003992397.tif 000005
【図５】
0003992397.tif 000006
【図６】
0003992397.tif 000007